(57)【要約】【課題】  従来の自転車や三輪車などのハンドルに取外し可能に取り付けられるベル装置をより携帯用に適するものに改善することをその目的とする。【解決手段】  自転車のハンドルに取り付け取外し可能なベル装置であって、そのベル体を突き鳴らす打撃レバー部材は呼子部材ともなっているベル装置を提供し、特に、そのベル体が、その自転車のハンドルに取外し可能に取り付けられるベル取付け具ではなく、打撃レバー兼用の呼子部材を載置している支持部材に固定されている。【選択図】    図２
2008155796.tif 000002
【特許請求の範囲】
【請求項１】
自転車のハンドルに取り付け取外し可能なベル装置であって、そのベル体を突き鳴らす打撃レバー部材は呼子部材ともなっていることを特徴とするベル装置。
【請求項２】
自転車のハンドルに取り付け取外し可能なベル取付け具と、前記ベル取付け具に取り付けられている支持部材と、前記ベル取付け具に固定されたベル体と、前記支持部材に設置されていて、作動させられると前記ベル体を突き鳴らすこともできる打撃レバー兼用の呼子部材とを備えたことを特徴とするベル装置。
【請求項３】
自転車のハンドルに取付けられるベル取付け具と、前記ベル取付け具に取外し容易に取り付けられている支持部材と、前記支持部材に固定されたベル体と、前記支持部材に設置されていて、作動させられると前記ベル体を突き鳴らすこともできる打撃レバー兼用の呼子部材とを備えたことを特徴とするベル装置。
【請求項４】
前記打撃レバー兼用の呼子部材は、
前記ベル体を突く先頭部と、呼子の吹き口となっている末端部と、該先頭部と該末端部との間に延在している中段部とを有する呼子本体と、
その一端が前記支持部材に他端が前記呼子本体の中段部にそれぞれ係止されていて、前記呼子本体が作動させられると振動して作動を続けることができるコイルばねと、からなっていることを特徴とする請求項２または３に記載のベル装置。
【請求項５】
前記呼子本体として、リード型のものが使用されていることを特徴とする請求項４に記載のベル装置。
【請求項６】
前記呼子本体として、コルク玉の入っているものが使用されていることを特徴とする請求項４に記載のベル装置。
【発明の詳細な説明】
【技術分野】
【０００１】
本発明はベル装置に関し、特に自転車や三輪車のハンドルに取り付けられるベル装置に関する。
【背景技術】
【０００２】
従来、自転車や三輪車に使用されるベル装置として、図１に示すようなものが典型的なものである。図示のように、このベル装置は、締付けバンドのように形成された取り付け具１１で自転車や三輪車のハンドル２に取り付けられるため、その締付けネジ１２が緩められると簡単に取外せるので、盗まれることが頻発している。
【０００３】
それがために、駐車時に、ベル装置を取り外して携帯する使用者が多くなっている。
【発明の開示】
【発明が解決しようとする課題】
【０００４】
本発明は前記のような事情に鑑みてなされたものである。
【０００５】
即ち、本発明は、従来の自転車や三輪車用のベル装置をより携帯用に適するものに改善することをその目的とする。
【課題を解決するための手段】
【０００６】
前記目的を達成するために、本発明は、自転車のハンドルに取り付け取外し可能なベル装置であって、そのベル体を突き鳴らす打撃レバー部材は呼子部材ともなっているベル装置を提供する。
【０００７】
更に詳しく説明すると、まず、自転車のハンドルに取り付け取外し可能なベル取付け具と、前記ベル取付け具に取り付けられている支持部材と、前記ベル取付け具に固定されたベル体と、前記支持部材に設置されていて、作動させられると前記ベル体を突き鳴らすこともできる打撃レバー兼用の呼子部材とを備えたベル装置を提供する。
【０００８】
そして、自転車のハンドルに取付けられるベル取付け具と、前記ベル取付け具に取外し容易に取り付けられている支持部材と、前記支持部材に固定されたベル体と、前記支持部材に設置されていて、作動させられると前記ベル体を突き鳴らすこともできる打撃レバー兼用の呼子部材とを備えたベル装置をも提供する。
【発明の効果】
【０００９】
前記構成によるベル装置は、打撃レバー兼用の呼子部材が備わっているので、ベル音だけでなく、呼子笛の音を発することもでき、用途が従来より多くなり、携帯に更に値することになる（下記、第１の実施形態〜第３の実施形態参照）。
【００１０】
また、前記構成によるベル装置は、ベル体を取付け具ではなく、支持部材に固定するならば、取付け具を自転車などのハンドルに残したまま、他の肝要な部分だけを取り外すことができるので、軽量で携帯に便利である（下記、第１及び第３の実施形態参照）。
【発明を実施するための最良の形態】
【００１１】
以下、本発明に関するベル装置の好適な実施形態を、図面を参照しながら説明する。なお、図中、似ている部分には、同一の参照符号を付する。
【００１２】
本発明のベル装置は、自転車や三輪車のハンドルに取り付けられるが、この実施形態のベル装置では自転車用の場合を例として挙げる。まず、図２〜図６を参照しながら本発明の第１の実施形態としてのベル装置を説明する。
【００１３】
この実施形態例のベル装置は、図２に示すように、自転車のハンドル２に取付けられるベル取付け具３１と、ベル取付け具３１に取外し容易に取り付けられている支持部材４１と、支持部材４１に固定されたベル体４２と、支持部材４１に設置されていて、作動させられるとベル体４２を突き鳴らすこともできる打撃レバー兼用の呼子部材４３とを備えた。
【００１４】
更に詳しく説明すると、この実施形態例のベル装置は、そのベル取付け具３１が、図１に示すような典型的な取り付け具１１と似ており、即ち自転車のハンドル２に取り付け取外し可能な締付けバンドのように拵えられたが、ベル取付け具３１の上部には、また、支持部材４１が、ベル取付け具３１の上部に一体的に形成されている円板形の取付座３１０と支持部材４１の底部に形成されている突縁４１０との係止により、取外し容易に取り付けられている（図３参照）。
【００１５】
即ち、この取外し容易な係止関係のため、駐車の時、使用者は、図４に示すように、ベル取付け具３１を自転車のハンドル２に残したまま、他の、ベル体４２と打撃レバー兼用の呼子部材４３との肝要な部分だけを支持部材４１と共に容易に取り外して携帯することができる。
【００１６】
また、その打撃レバー兼用の呼子部材４３は、ベル体４２を突く先頭部４３１と、呼子の吹き口となっている末端部４３２と、該先頭部４３１と該末端部４３２との間に延在している中段部４３３とを有する呼子本体４４と、その一端が支持部材４１に他端が呼子本体４４の中段部４３３にそれぞれ係止されていて、呼子本体４４がベル体４２を突き鳴らすように左右揺動に作動させられると振動して作動を続けることができるコイルばね４５と、からなっている。
【００１７】
この構造により、このベル装置は、図５に示すように、使用者が手で呼子部材４３の末端部４３２を押すと、コイルばね４５の弾性によって、先頭部４３１がベル体４２を頻りに打つことができるので、ベル装置として簡単に使用することができる上、携帯の時、図６に示すように、呼子笛として使用することもできる。
【００１８】
また、この実施形態例においては、呼子本体４４として、リード型のものが使用されている。
【００１９】
次に、図７を参照しながら本発明の第２の実施形態であるベル装置を説明する。
この実施形態の構造は、根本的に第１の実施形態と同じであるが、そのベル体４２’は支持部材４１’ではなく、取付け具３１’に固定されている。即ち、図示のように、取付け具３１’はその円板形の取付座３１０’の中心部に支持部材４１’を貫通する突柱３１１’が形成してある。ベル体４２’はこの突柱３１１’に固定されている。この構造によると、携帯の時、ベル装置は呼子笛として使用されうるが、取付け具３１’も従来のようにベル装置の他の肝要な部分と共に自転車のハンドル２から取り外される必要がある。
【００２０】
本実施形態のベル装置の他の構造は、前記第１の実施形態と同じなので、ここでその説明を省く。
【００２１】
次いで、図８〜図９を参照しながら本発明の第３の実施形態のベル装置を説明する。
【００２２】
この実施形態の打撃レバー兼用の呼子部材４３”における呼子本体４４”として、コルク玉４４１”の入っているものが使用されている。
【００２３】
本実施形態のベル装置の他の構造は、前記第１の実施形態と同じなので、ここでその説明を省く。
【産業上の利用可能性】
【００２４】
叙上のように、この発明のベル装置は、自転車や三輪車などのハンドルから取り外されて携帯される時、呼子笛として使用されうる上、ベル体が取付け具ではなく、支持部材に固定された時、取付け具をハンドル上に残すことができ、軽量で便利であるので、従来の自転車や三輪車用ベル装置より携帯に更に適する。
【図面の簡単な説明】
【００２５】
【図１】従来例に係るベル装置の断面構成図である。
【図２】本発明の第１実施形態の分解斜視図である。
【図３】本発明の第１実施形態の断面構成図である。
【図４】本発明の第１実施形態の断面構成図（取付け具がハンドルに残された場合）である。
【図５】本発明の第１実施形態の断面構成図（呼子部材の末端部が押圧される場合）である。
【図６】本発明の第１実施形態が呼子笛として使用される場合の説明図である。
【図７】本発明の第２実施形態の断面構成図である。
【図８】本発明の第３実施形態の分解斜視図である。
【図９】本発明の第３実施形態の断面構成図である。
【符号の説明】
【００２６】
２                    ハンドル
３１、３１’          取付け具
４１、４１’          支持部材
４２、４２’          ベル体
４３、４３’、４３”  呼子部材
４４、４４’、４４”  呼子本体
４５                コイルばね
３１０、３１０’    取付座
３１１’            突柱
４１０              突縁
４３１、４３１”    先頭部
４３２、４３２”    末端部
４３３              中段部
４４１”            コルク玉
【図１】
2008155796.tif 000003
【図２】
2008155796.tif 000004
【図３】
2008155796.tif 000005
【図４】
2008155796.tif 000006
【図５】
2008155796.tif 000007
【図６】
2008155796.tif 000008
【図７】
2008155796.tif 000009
【図８】
2008155796.tif 000010
【図９】
2008155796.tif 000011